(57)【要約】【課題】揮散能力を低下させることなく、商品性の向上を図ることのできる揮散器を提供する。【解決手段】揮散器１は、透明ガラス製の容器２を有しており、このこの容器２は、底面部３、周面部４及び開口５ａを備えた首部５を一体的に有している。周面部４には、シボ加工が施されている。容器２の内部には、芳香剤、消臭剤、防黴剤、防虫剤等の揮散して所定の薬効を発生する薬液１５が収容されており、この薬液１５中に吸液芯１１が浸漬されている。さらに、容器２内には薬液１５とともに複数個のゲル化体１６が収容されており、このゲル化体１６は、高吸水性合成樹脂である。【選択図】図１
2008119477.tif 000002
【特許請求の範囲】
【請求項１】
内部を透視可能な容器内に収容された薬液を、該薬液に浸漬された吸液芯を介して導出し、外部に揮散させる揮散器において、
前記容器内に前記薬液とともに、高吸水性合成樹脂からなるゲル化体を遊動可能な状態で収容し、前記容器の周面にシボ加工を施したことを特徴とする揮散器。
【請求項２】
前記ゲル化体を複数個収容したことを特徴とする請求項１記載の揮散器。
【請求項３】
前記ゲル化体を着色したことを特徴とする請求項１又は２記載の揮散器。
【請求項４】
前記薬液を着色するとともに、前記ゲル化体をこの薬液とは異なる色に着色したことを特徴とする請求項１又は２記載の揮散器。
【請求項５】
前記複数個のゲル化体を各々異なる複数の色に着色したことを特徴とする請求項２記載の揮散器。
【請求項６】
前記容器の周面を多面形状としたことを特徴とする請求項１から５のいずれかに記載の揮散器。
【請求項７】
前記吸液芯は、合成樹脂製異形モノフィラメント状体からなることを特徴とする請求項１から６のいずれかに記載の揮散器。
【発明の詳細な説明】
【技術分野】
【０００１】
本発明は、芳香剤や消臭剤等の薬剤を周囲空間に揮散させる揮散器に関する。
【背景技術】
【０００２】
従来、芳香剤や消臭剤等の薬液を揮散させる揮散器は、容器内に収容された薬液を該薬液に浸漬された吸液芯を介して導出し、外部に揮散させるように構成されている。また、容器は収容されている薬液の残存量を外部から視認可能とすべく、透明あるいは半透明で外部から透視可能なものが用いられている。
【０００３】
このように、揮散器の容器は内部を透視可能な構成となっていることから、内部の薬液に浸漬されている吸液芯までも外部から見えてしまい、商品性が低下してしまう。そこで、薬液を着色することにより、着色された薬液により吸液芯を隠蔽して商品性の低下を防止したり、あるいは容器の形状に工夫を凝らすことにより、吸液芯が見えることにより低下した商品性を高めようとすることも試みられている。
【発明の開示】
【発明が解決しようとする課題】
【０００４】
しかしながら、薬液の着色により商品性の低下を防止する場合には、吸液芯を隠蔽できる程度に着色濃度を濃くしなければならず、薬液中に多量の顔料を混入させる必要がある。このため、吸液芯に顔料が目詰まりして、吸液芯の吸液能力が低下し、延いては揮散器の揮散能力が低下してしまう不都合が生ずる。
【０００５】
また、容器の形状に工夫を凝らした場合、商品それ自体の形状は固定的であることから、見る者の視覚を度々刺激できるものではなく、よって吸液芯が見えることにより低下した商品性を高めるには不十分なものであった。
【０００６】
本発明は、このような従来の課題に鑑みてなされたものであり、揮散能力を低下させることなく、商品性の向上を図ることのできる揮散器を提供することを目的とするものである。
【課題を解決するための手段】
【０００７】
前記課題を解決するために請求項１記載の発明にあっては、内部を透視可能な容器内に収容された薬液を、該薬液に浸漬された吸液芯を介して導出し、外部に揮散させる揮散器において、前記容器内に前記薬液とともに、高吸水性合成樹脂からなるゲル化体を遊動可能な状態で収容し、前記容器の周面にシボ加工を施してある。
【０００８】
かかる構成において、前記高吸水性合成樹脂からなるゲル化体を薬液とともに容器内に収容すると、該ゲル化体が薬液を吸水して膨潤し、体積が増大する。したがって、この体積が増大したゲル化体により見る角度によっては、吸液芯が隠蔽されて、吸液芯が見えることに起因する商品性の低下が抑制される。また、例えば自動車の車室内に設置した場合のように、自動車の発進停止、揺れにより容器が動くと、遊動自在なゲル化体が遊動することから、容器の内部の状態が千変万化し、見る者の視覚が刺激される。よって、見る角度によって吸液芯が隠蔽されて商品性の低下が抑制されることと、ゲル化体が遊動して容器の内部の状態が千変万化して視覚が刺激されることとが相俟って、揮散器の商品性は著しく向上する。
【０００９】
また、薬液を高濃度で着色する必要もないことから、顔料の目詰まりによる揮散能力の低下もない。よって、揮散能力を低下させることなく、商品性の向上を図ることができる。
【００１０】
また、前記容器の周面にシボ加工を施してある。したがって、容器の周面が半透明となって吸液芯の隠蔽度が高められるのみならず、内部のゲル化体が霞んで見えることにより、商品に柔らかな感じを与えることができる。
【００１１】
また、請求項２記載の発明にあっては、前記ゲル化体を複数個収容してある。したがって、吸液芯の隠蔽度が高められて、商品性も高められる。
【００１２】
また、請求項３記載の発明にあっては、前記ゲル化体を着色してある。したがって、容器が動かされる度にこの着色されたゲル化体が遊動して、見る者の視覚が刺激される。
【００１３】
また、請求項４記載の発明にあっては、前記薬液を着色するとともに、前記ゲル化体をこの薬液とは異なる色に着色してある。したがって、容器が動かされると、この着色されたゲル化体が異なる色の薬液中で遊動して、見る者の視覚が強く刺激される。
【００１４】
また、請求項５記載の発明にあっては、複数の各ゲル化体を各々異なる複数の色に着色してある。したがって、容器が動かされると、異なる色のゲル化体が遊動して、見る者の視覚が強く刺激される。
【００１５】
また、請求項６記載の発明にあっては、前記容器の周面を多面形状としてある。したがって、容器の内部で遊動しているゲル化体を外部から見た際に、ゲル化体の動きが視覚上突飛的に変化するように感じられて、視覚が刺激される。
【００１６】
また、請求項７記載の発明にあっては、前記吸液芯は、合成樹脂製異形モノフィラメント状体からなる。この合成樹脂製異形モノフィラメント状体からなる吸液芯は吸液性能がフェルト芯よりも優れ、細い径であってもこれより遥かに太い径のフェルト芯よりも多量に吸液し得る。したがって、この合成樹脂製異形モノフィラメント状体からなる吸液芯を用いることにより、ゲル化体による吸液芯の隠蔽度が相対的に高められる。
【発明の効果】
【００１７】
以上説明したように本発明は、容器内に薬液とともに、高吸水性合成樹脂からなるゲル化体を遊動可能な状態で収容するようにした。よって、薬液を吸水して膨潤し体積が増大したゲル化体により、吸液芯が隠蔽されて、吸液芯が見えることに起因する商品性の低下を防止することができる。また、自動車の車室内に設置した場合のように、自動車の発進停止、揺れにより容器が動くと、ゲル化体が遊動することから、容器の内部の状態が千変万化し、見る者の視覚が刺激される。よって、見る角度によっては吸液芯が隠蔽されて商品性の低下が抑制されることと、ゲル化体が遊動して容器の内部の状態が千変万化して視覚が刺激されることとが相俟って、揮散器の商品性を著しく向上させることができる。また、薬液を高濃度で着色する必要もないことから、顔料の目詰まりによる揮散能力の低下もなく、よって、揮散能力を低下させることなく、商品性の向上を図ることができる。また、容器の周面にシボ加工を施すようにしたことから、吸液芯の隠蔽度が高められるのみならず、内部のゲル化体が霞んで見えることにより、商品に柔らかな感じを与えて商品性を高めることができる。
【００１８】
また、ゲル化体を複数個収容し、あるいはゲル化体を着色し、若しくは薬液を着色するとともに、ゲル化体をこの薬液とは異なる色に着色するようにした。よって、容器が動かされると、この着色されたゲル化体が異なる色の薬液中で遊動して、見る者の視覚を強く刺激することができ、これにより商品性の向上を図ることができるのみならず、装飾品として機能させることができる。このとき、吸液芯はゲル化体により隠蔽されることから、薬液の着色濃度を濃くする必要はなく、よって、薬液に含まれている顔料による吸液芯の目詰まりも少なく、揮散の揮散能力が低下することもない。
【００１９】
また、容器の周面を多面形状とししたことから、容器の内部で遊動しているゲル化体を外部から見た際に、ゲル化体の動きが視覚上突飛的に変化するように感じられて、視覚が刺激され、これにより装飾品としての機能を高めることができる。
【００２０】
また、吸液芯を合成樹脂製異形モノフィラメント状体としたことから、吸液芯が細い径であっても所定の吸液能力を確保することができ、よって、所定の旧液能力を確保しつつゲル化体による吸液芯の隠蔽度を相対的に高めることができる。
【発明を実施するための最良の形態】
【００２１】
以下、本発明の実施の形態を図に従って説明する。すなわち、図１に示すように、本実施の形態にかかる揮散器１は、透明プラスチック製の容器２を有しており、このこの容器２は、底面部３、周面部４及び開口５ａを備えた首部５を一体的に有している。周面部４には、斜状に上下方向へ延在する複数の凹条６が等間隔に設けられているとともに、各凹条６間には容器の外部方向へ湾曲状に膨出した断面形状からなる凸面部７が形成されている。
【００２２】
前記首部５には、捨て蓋９が螺合されているが、この捨て蓋９は使用開始に際して除去される。前記開口５ａには、図２に示すように、中蓋１０が嵌着されており、該中蓋１０の中心部には、吸液芯１１の一端部が嵌着されている。この吸液芯１１は、前記中蓋１０の中心部に嵌着された大径部１１ａと、この大径部１１ａに上端部を結合されて下端部が容器２の底面部３に接触する小径部１１ｂとで構成されている。そして、大径部１１ａは、ポリエチレン粒子の焼結体やポリエステル繊維を接着剤等で集束結合したのもから構成されている。また、小径部１１ｂは、ポリアセタール、ナイロン、ポリオレフィン等の熱可塑性合成樹脂よりなる異形モノフィラメント（実開昭６３−１６６２４３号公報参照）から構成され、その横断面形状と相似形のダイスを用いて押出成形機により成形したものである。
【００２３】
前記首部５の周部には、濾紙ホルダ１２が配置されており、この濾紙ホルダ１２上には濾紙１３が載置されている。そして、使用開始に際して前記捨て蓋９を除去することにより、吸液芯１１の大径部１１ａが濾紙１３の中央部に接触するように構成されている。
【００２４】
また、濾紙１３の上部には外蓋１４が配置されている。この外蓋１４の上面には、複数の揮散口１４ａが形成されており、また周部下端には突縁部１４ｂが形成されている。そして、この突縁部１４ｂを容器２の周面４の上部に形成された凹部２ａに係止させることにより、外蓋１４は容器２に結合されている。
【００２５】
前記容器２の内部には、芳香剤、消臭剤、防黴剤、防虫剤等の揮散して所定の薬効を発生する薬液１５が収容されており、この薬液１５中に前記吸液芯１１の小径部１１ｂが浸漬されている。さらに、容器２内には薬液１５とともに複数個のゲル化体１６が収容されている。
【００２６】
このゲル化体１６は、高吸水性合成樹脂であって、例えば、デンプン、セルロース等の多糖類に、水溶性又は加水分解により水溶性になる重合性単量体、例えば、アクリル酸、メタアクリル酸、アクリル酸塩、メタアクリル酸塩、アクリル酸エステル、メタアクリル酸エステル、アクリル酸アミド、メタアクリル酸アミド、アクリロニトリル、メタアクリロニトリル、マレイン酸、スルホン化スチレン、ポリビニルビリジンなど、又はこれらのオリゴマー若しくはコオリゴマーをグラフト重合させた親水性ポリマー及びクラフト重合後必要に応じて加水分解した親水性ポリマー、又はポリエチレンキシド、ポリプロピレンオキシド、ポリビニルピロリドン、スルホン化ポリスチレン、ポリビニルビリジン、ポリアクリル酸アミド、ポリメタクリル酸塩、ポリアクリル酸アミド等の親水性ポリマーを架橋剤によって三次元的に重合させたものなどが用いられる。
【００２７】
また、この実施の形態においてはゲル化体１６は所定の色（例えば、ピンク）に着色されるべく顔料を含んでおり、一方前記薬液１５は無色透明である。
【００２８】
以上の構成にかかる本実施の形態において、前記高吸水性合成樹脂からなるゲル化体１６を薬液１５とともに容器２内に収容すると、該ゲル化体１６が薬液１５を吸水して膨潤し、図２に示すように体積が増大する。したがって、この体積が増大したゲル化体１６により見る角度によっては、吸液芯１１の小径部１１ｂが隠蔽されて、吸液芯１１の小径部１１ｂが見えることに起因する商品性の低下が防止される。
【００２９】
また、例えば自動車の車室内に設置した場合のように、自動車の発進停止、揺れにより容器２が動くと、着色された複数個のゲル化体１６が遊動することから、容器２の内部の状態が千変万化し、見る者の視覚が刺激される。よって、見る角度によっては吸液芯１１の小径部１１ｂが隠蔽されて商品性の低下が抑制されることと、ゲル化体１６が遊動して容器２の内部の状態が千変万化して視覚が刺激されることとが相俟って、揮散器１の商品性は著しく向上する。
【００３０】
また、薬液１５を高濃度で着色する必要もないことから、吸液芯１１に顔料が目詰まりすることななく、この目詰まりによる揮散能力の低下もない。よって、揮散能力を低下させることなく、商品性の向上を図ることができる。
【００３１】
しかも、本実施の形態においては、容器２の周面部４は、前記複数の凹条６と凸面部７が形成されて多面形となっていることから、容器２の内部で遊動しているゲル化体１６を外部から見ると、ゲル化体１６の動きが視覚上突飛的に変化するように感じられて、視覚が刺激される。さらに、本実施の形態においては、容器２の周面部４にシボ加工も施されていることから、容器２の周面部４が半透明となって吸液芯１１の小径部１１ｂの隠蔽度が高められる。また、内部のゲル化体１６が霞んで見えることにより、揮散器１に柔らかな感じを付加することができ、これによっても商品性の向上を図ることができる。
【００３２】
加えて、本実施の形態においては、吸液芯１１の小径部１１ｂは、合成樹脂製異形モノフィラメント状体からなり、この合成樹脂製異形モノフィラメント状体からなる吸液芯１１の小径部１１ｂは吸液性能がフェルト芯よりも優れ、細い径であってもこれより遥かに太い径のフェルト芯よりも多量に吸液し得る。したがって、この合成樹脂製異形モノフィラメント状体からなる小径の吸液芯１１を用いることにより、ゲル化体１６による吸液芯１１の隠蔽度を相対的に高めることができる。
【００３３】
図３は、本発明の他の実施の形態を示すものであり、吸液芯１７は合成樹脂製異形モノフィラメント状体ではなく、フェルト等の一般的な芯材で構成されている。また、容器２は透明ガラス製であって、周面部４はすりガラス状であり、外蓋１４は前述した実施の形態と同様に、薬液１５が外部に揮散可能な構造を備えている。
また、薬液１５は所定の色に着色されており、複数個のゲル化体１６はこの薬液１５とは異なる色に着色されている。
【００３４】
したがって、この実施の形態において揮散器１が動かされると、着色されたゲル化体１６が異なる色の薬液１５中で遊動して、見る者の視覚が強く刺激される。よって、揮散器１の商品性が一層高められるとともに、装飾品として機能させることができる。
【００３５】
なお、この実施の形態においては、薬液１５が着色されていはいるが、吸液芯１７はゲル化体１６により隠蔽されることから、薬液１５の着色濃度を濃くする必要はない。よって、薬液１５に含まれている顔料による吸液芯１１の目詰まりも少なく、揮散の妨げとなることはない。
【００３６】
また、実施の形態においては、同一色で着色された複数個のゲル化体を用いるようにしたが、各々異なる色で着色された複数のゲル化体１６を容器２に収容したり、各ゲル化体１６を複数色で着色するようにしてもよい。これにより、見る者の視覚が一層刺激されて、商品性が高まるのみならず、装飾品としての機能も高めることができる。さらに、実施の形態においては、複数個のゲル化体１６を容器２内に収容するようにしたが、例えば吸液芯の周部を取り囲むようなドーナッツ型のゲル化体を１個のみ、薬液とともに容器内に収容するようにしてもよい。
【図面の簡単な説明】
【００３７】
【図１】（Ａ）は本発明の一実施の形態にかかる揮散器の正面図、（Ｂ）は一部断面側面図である。
【図２】同揮散器の垂直断面図である。
【図３】本発明の他の実施の形態にかかる揮散器の正面図である。
【符号の説明】
【００３８】
１    揮散器
２    容器
１５    薬液
１６    ゲル化体
【図１】
2008119477.tif 000003
【図２】
2008119477.tif 000004
【図３】
2008119477.tif 000005